(57)【要約】【課題】  帯域通過型フィルタの帯域を変化させることなく、受信帯域を制御できるようにする。【解決手段】  周波数制御部１０は、第１中間周波信号の下側帯域が第１中間周波フィルタ４にて通過されるとともに、第１中間周波信号の上側帯域の一部が第１中間周波フィルタ４にて減衰されるように第１局部発振信号の局発周波数を制御し、第１中間周波フィルタ４にて第１中間周波信号の上側帯域を除去するとともに、第２中間周波信号の上側帯域が第２中間周波フィルタ６にて通過されるとともに、第２中間周波信号の下側帯域の一部が第２中間周波フィルタ６にて減衰されるように第２局部発振信号の局発周波数を制御し、第２中間周波フィルタ６にて第２中間周波信号の下側帯域を除去する。【選択図】      図１
2006304136.tif 000002
【特許請求の範囲】
【請求項１】
第１局部発振信号を生成する第１局部発振器と、
前記第１局部発振信号を受信信号に混合することにより、前記受信信号を第１中間周波信号に変換する第１混合器と、
前記第１中間周波信号のフィルタリングを行う第１中間周波フィルタと、
第２局部発振信号を生成する第２局部発振器と、
前記第２局部発振信号を前記第１中間周波信号に混合することにより、前記第１中間周波信号を第２中間周波信号に変換する第２混合器と、
前記第２中間周波信号のフィルタリングを行う第２中間周波フィルタと、
前記第１中間周波信号の一方の側の帯域の一部が前記第１中間周波フィルタの減衰領域にかかるように前記第１局部発振信号の局発周波数を制御するとともに、前記第２中間周波信号の他方の側の帯域の一部が前記第２中間周波フィルタの減衰領域にかかるように前記第２局部発振信号の局発周波数を制御する周波数制御部とを備えることを特徴とする受信装置。
【請求項２】
前記第１中間周波フィルタはＳＡＷフィルタ、前記第２中間周波フィルタはＬＣフィルタで構成され、
前記周波数制御部は、前記第２中間周波信号の帯域の一部が前記ＬＣフィルタの減衰特性の急峻な方にかかるように前記第２局部発振信号の局発周波数を制御するとともに、前記第１中間周波信号の反対側の帯域の一部が前記ＳＡＷフィルタの減衰領域にかかるように前記第１局部発振信号の局発周波数を制御することを特徴とする請求項１記載の受信装置。
【請求項３】
前記第１中間周波フィルタおよび前記第２中間周波フィルタは、地上デジタル放送の３セグメント分の帯域を持つように設定され、
前記地上デジタル放送の１セグメント分の信号を受信する場合、前記周波数制御部は、前記第１中間周波信号の一方の側の１セグメント分の帯域が前記第１中間周波フィルタの減衰領域にかかるように前記第１局部発振信号の局発周波数を制御するとともに、前記第２中間周波信号の他方の側の１セグメント分の帯域が前記第２中間周波フィルタの減衰領域にかかるように前記第２局部発振信号の局発周波数を制御することを特徴とする請求項１または２記載の受信装置。
【請求項４】
前記第１中間周波フィルタおよび前記第２中間周波フィルタは、地上デジタル放送の１３セグメント分の帯域を持つように設定され、
前記地上デジタル放送の３セグメント分の信号を受信する場合、前記周波数制御部は、前記第１中間周波信号の一方の側の５セグメント分の帯域が前記第１中間周波フィルタの減衰領域にかかるように前記第１局部発振信号の局発周波数を制御するとともに、前記第２中間周波信号の他方の側の５セグメント分の帯域が前記第２中間周波フィルタの減衰領域にかかるように前記第２局部発振信号の局発周波数を制御し、
前記地上デジタル放送の１セグメント分の信号を受信する場合、前記周波数制御部は、前記第１中間周波信号の一方の側の６セグメント分の帯域が前記第１中間周波フィルタの減衰領域にかかるように前記第１局部発振信号の局発周波数を制御するとともに、前記第２中間周波信号の他方の側の６セグメント分の帯域が前記第２中間周波フィルタの減衰領域にかかるように前記第２局部発振信号の局発周波数を制御することを特徴とする請求項１または２記載の受信装置。
【請求項５】
第１局部発振信号を生成する第１局部発振器と、
前記第１局部発振信号を受信信号に混合することにより、前記受信信号を第１中間周波信号に変換する第１混合器と、
前記第１中間周波信号のフィルタリングを行う第１中間周波フィルタと、
第２局部発振信号を生成する第２局部発振器と、
前記第２局部発振信号を前記第１中間周波信号に混合することにより、前記第１中間周波信号を第２中間周波信号に変換する第２混合器と、
前記第２中間周波信号のフィルタリングを行う第２中間周波フィルタと、
前記第１中間周波信号の一方の側の帯域の一部が前記第１中間周波フィルタの減衰領域にかかるように前記第１局部発振信号の局発周波数を制御する周波数制御部と、
前記第２中間周波信号の他方の側の帯域の一部が前記第２中間周波フィルタの減衰領域にかかるように前記第２中間周波フィルタのセンター周波数をシフトさせるセンター周波数シフト部とを備えることを特徴とする受信装置。
【請求項６】
前記第１中間周波フィルタはＳＡＷフィルタ、前記第２中間周波フィルタはＬＣフィルタで構成され、
前記センター周波数シフト部は、前記第２中間周波信号の帯域の一部が前記ＬＣフィルタの減衰特性の急峻な方にかかるように前記第２中間周波フィルタのセンター周波数をシフトさせ、
前記周波数制御部は、前記第１中間周波信号の反対側の帯域の一部が前記ＳＡＷフィルタの減衰領域にかかるように前記第１局部発振信号の局発周波数を制御することを特徴とする請求項５記載の受信装置。
【請求項７】
前記第１中間周波フィルタおよび前記第２中間周波フィルタは、地上デジタル放送の３セグメント分の帯域を持つように設定され、
前記地上デジタル放送の１セグメント分の信号を受信する場合、前記周波数制御部は、前記第１中間周波信号の一方の側の１セグメント分の帯域が前記第１中間周波フィルタの減衰領域にかかるように前記第１局部発振信号の局発周波数を制御するとともに、前記センター周波数シフト部は、前記第２中間周波信号の他方の側の１セグメント分の帯域が前記第２中間周波フィルタの減衰領域にかかるように前記第２中間周波フィルタのセンター周波数をシフトさせることを特徴とする請求項５または６記載の受信装置。
【請求項８】
前記第１中間周波フィルタおよび前記第２中間周波フィルタは、地上デジタル放送の１３セグメント分の帯域を持つように設定され、
前記地上デジタル放送の３セグメント分の信号を受信する場合、前記周波数制御部は、前記第１中間周波信号の一方の側の５セグメント分の帯域が前記第１中間周波フィルタの減衰領域にかかるように前記第１局部発振信号の局発周波数を制御するとともに、前記センター周波数シフト部は、前記第２中間周波信号の他方の側の５セグメント分の帯域が前記第２中間周波フィルタの減衰領域にかかるように前記第２中間周波フィルタのセンター周波数をシフトさせ、
前記地上デジタル放送の１セグメント分の信号を受信する場合、前記周波数制御部は、前記第１中間周波信号の一方の側の６セグメント分の帯域が前記第１中間周波フィルタの減衰領域にかかるように前記第１局部発振信号の局発周波数を制御するとともに、前記センター周波数シフト部は、前記第２中間周波信号の他方の側の６セグメント分の帯域が前記第２中間周波フィルタの減衰領域にかかるように前記第２中間周波フィルタのセンター周波数をシフトさせることを特徴とする請求項５または６記載の受信装置。
【発明の詳細な説明】
【技術分野】
【０００１】
本発明は受信装置に関し、特に、地上デジタル放送を受信する放送受信機に適用して好適なものである。
【背景技術】
【０００２】
地上デジタル放送では、多様なサービスを提供できるようにするために、５．６ＭＨｚの帯域を１３個のセグメント（約４２９ｋＨｚ幅）に分割し、１３個のセグメントを用いてハイビジョン放送を行ったり、１〜３個のセグメントを用いて移動体通信を行ったりできるように規定されている。
また、特許文献１には、デジタル放送受信機の構成の簡素化および小型化を図るため、フロントエンド部またはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）処理部に含まれる帯域通過型フィルタを帯域幅可変型フィルタとし、送信周波数に応じて帯域幅を制御する方法が開示されている。
【特許文献１】特開２００１−２１１１３６号公報
【発明の開示】
【発明が解決しようとする課題】
【０００３】
しかしながら、放送形態に応じて使用されるセグメントの個数を変化させると、帯域の異なる複数のフィルタを中間周波段に用意し、受信帯域を切り替えられるようにする必要がある。このため、デジタル放送受信機の大型化を招くとともに、デジタル放送受信機の回路構成が複雑化し、デジタル放送受信機の高価格化に繋がるという問題があった。
また、特許文献１に開示された方法では、帯域幅可変型フィルタが必要になり、デジタル放送受信機の回路構成が複雑化するとともに、挿入損失の増大を補うためのアンプが別途必要になり、デジタル放送受信機の大型化および高価格化を招くという問題があった。
【０００４】
そこで、本発明の目的は、帯域通過型フィルタの帯域を変化させることなく、受信帯域を制御することが可能な受信装置を提供することである。
【課題を解決するための手段】
【０００５】
上述した課題を解決するために、本発明の一態様に係る受信装置によれば、第１局部発振信号を生成する第１局部発振器と、前記第１局部発振信号を受信信号に混合することにより、前記受信信号を第１中間周波信号に変換する第１混合器と、前記第１中間周波信号のフィルタリングを行う第１中間周波フィルタと、第２局部発振信号を生成する第２局部発振器と、前記第２局部発振信号を前記第１中間周波信号に混合することにより、前記第１中間周波信号を第２中間周波信号に変換する第２混合器と、前記第２中間周波信号のフィルタリングを行う第２中間周波フィルタと、前記第１中間周波信号の一方の側の帯域の一部が前記第１中間周波フィルタの減衰領域にかかるように前記第１局部発振信号の局発周波数を制御するとともに、前記第２中間周波信号の他方の側の帯域の一部が前記第２中間周波フィルタの減衰領域にかかるように前記第２局部発振信号の局発周波数を制御する周波数制御部とを備えることを特徴とする。
【０００６】
これにより、局部発振信号の局発周波数を制御することにより、中間周波フィルタにて帯域制限がかかる受信帯域を変化させることができ、ノイズフロアを上昇させることなく、中間周波フィルタにて特定の帯域を切り出すことが可能となる。このため、中間周波フィルタの帯域を変化させることなく、中間周波フィルタを通過した後の受信帯域を狭帯域化することが可能となるとともに、Ｓ／Ｎ比の劣化を抑制することが可能となり、デジタル放送受信機の構成の簡素化および小型化を図りつつ、デジタル放送受信機のコストダウンを実現することができる。
【０００７】
また、本発明の一態様に係る受信装置によれば、前記第１中間周波フィルタはＳＡＷフィルタ、前記第２中間周波フィルタはＬＣフィルタで構成され、前記周波数制御部は、前記第２中間周波信号の帯域の一部が前記ＬＣフィルタの減衰特性の急峻な方にかかるように前記第２局部発振信号の局発周波数を制御するとともに、前記第１中間周波信号の反対側の帯域の一部が前記ＳＡＷフィルタの減衰領域にかかるように前記第１局部発振信号の局発周波数を制御することを特徴とする。
【０００８】
これにより、第２中間周波フィルタとしてＳＡＷフィルタを用いることなく、不要な帯域を選択性よく遮断することが可能となり、デジタル放送受信機の構成の簡素化および小型化を図りつつ、デジタル放送受信機のコストダウンを実現することができる。
また、本発明の一態様に係る受信装置によれば、前記第１中間周波フィルタおよび前記第２中間周波フィルタは、地上デジタル放送の３セグメント分の帯域を持つように設定され、前記地上デジタル放送の１セグメント分の信号を受信する場合、前記周波数制御部は、前記第１中間周波信号の一方の側の１セグメント分の帯域が前記第１中間周波フィルタの減衰領域にかかるように前記第１局部発振信号の局発周波数を制御するとともに、前記第２中間周波信号の他方の側の１セグメント分の帯域が前記第２中間周波フィルタの減衰領域にかかるように前記第２局部発振信号の局発周波数を制御することを特徴とする。
【０００９】
これにより、中間周波数が中間周波フィルタの中心にくるように局発周波数を設定することで、３セグメント分の帯域の信号を受信することが可能となる。また、１セグメント分の帯域の信号を受信する時には、第１局部発振信号および第２局部発振信号の局発周波数を中間周波数に対して互いに反対方向にそれぞれシフトさせることで、３セグメント分の帯域の上下両側の１セグメント分のノイズフロアを上昇させることなく、それらの上下両側の１セグメント分の帯域を制限することができる。このため、中間周波フィルタの帯域を変化させることなく、地上デジタル放送の３セグメント分の信号と１セグメント分の信号を受信することが可能となるとともに、Ｓ／Ｎ比の劣化を抑制することが可能となり、デジタル放送受信機の構成の簡素化および小型化を図りつつ、デジタル放送受信機のコストダウンを実現することができる。
【００１０】
また、本発明の一態様に係る受信装置によれば、前記第１中間周波フィルタおよび前記第２中間周波フィルタは、地上デジタル放送の１３セグメント分の帯域を持つように設定され、前記地上デジタル放送の３セグメント分の信号を受信する場合、前記周波数制御部は、前記第１中間周波信号の一方の側の５セグメント分の帯域が前記第１中間周波フィルタの減衰領域にかかるように前記第１局部発振信号の局発周波数を制御するとともに、前記第２中間周波信号の他方の側の５セグメント分の帯域が前記第２中間周波フィルタの減衰領域にかかるように前記第２局部発振信号の局発周波数を制御し、前記地上デジタル放送の１セグメント分の信号を受信する場合、前記周波数制御部は、前記第１中間周波信号の一方の側の６セグメント分の帯域が前記第１中間周波フィルタの減衰領域にかかるように前記第１局部発振信号の局発周波数を制御するとともに、前記第２中間周波信号の他方の側の６セグメント分の帯域が前記第２中間周波フィルタの減衰領域にかかるように前記第２局部発振信号の局発周波数を制御することを特徴とする。
【００１１】
これにより、中間周波数が中間周波フィルタの中心にくるように局発周波数を設定することで、１３セグメント分の帯域の信号を受信することが可能となる。また、３セグメント分の帯域の信号を受信する時には、第１局部発振信号および第２局部発振信号の局発周波数を中間周波数に対して互いに反対方向にそれぞれシフトさせることで、１３セグメント分の帯域の上下両側の５セグメント分のノイズフロアを上昇させることなく、それらの上下両側の５セグメント分の帯域を制限することができる。さらに、１セグメント分の帯域の信号を受信する時には、第１局部発振信号および第２局部発振信号の局発周波数を中間周波数に対して互いに反対方向にそれぞれシフトさせることで、１３セグメント分の帯域の上下両側の６セグメント分のノイズフロアを上昇させることなく、それらの上下両側の６セグメント分の帯域を制限することができる。このため、中間周波フィルタの帯域を変化させることなく、地上デジタル放送の１３セグメント分の信号と３セグメント分の信号と１セグメント分の信号とを受信することが可能となるとともに、Ｓ／Ｎ比の劣化を抑制することが可能となり、デジタル放送受信機の構成の簡素化および小型化を図りつつ、デジタル放送受信機のコストダウンを実現することができる。
【００１２】
また、本発明の一態様に係る受信装置によれば、第１局部発振信号を生成する第１局部発振器と、前記第１局部発振信号を受信信号に混合することにより、前記受信信号を第１中間周波信号に変換する第１混合器と、前記第１中間周波信号のフィルタリングを行う第１中間周波フィルタと、第２局部発振信号を生成する第２局部発振器と、前記第２局部発振信号を前記第１中間周波信号に混合することにより、前記第１中間周波信号を第２中間周波信号に変換する第２混合器と、前記第２中間周波信号のフィルタリングを行う第２中間周波フィルタと、前記第１中間周波信号の一方の側の帯域の一部が前記第１中間周波フィルタの減衰領域にかかるように前記第１局部発振信号の局発周波数を制御する周波数制御部と、前記第２中間周波信号の他方の側の帯域の一部が前記第２中間周波フィルタの減衰領域にかかるように前記第２中間周波フィルタのセンター周波数をシフトさせるセンター周波数シフト部とを備えることを特徴とする。
【００１３】
これにより、第１局部発振信号の局発周波数を制御するとともに、第２中間周波フィルタのセンター周波数をシフトさせることにより、第２中間周波段における中間周波数をずらすことなく、中間周波フィルタにて帯域制限がかかる受信帯域を変化させることができる。このため、中間周波フィルタの帯域を変化させることなく、中間周波フィルタを通過した後の受信帯域を狭帯域化することが可能となるとともに、復調部に負担をかけることなく、Ｓ／Ｎ比の劣化を抑制することが可能となり、デジタル放送受信機の構成の簡素化および小型化を図りつつ、デジタル放送受信機のコストダウンを実現することができる。
【００１４】
また、本発明の一態様に係る受信装置によれば、前記第１中間周波フィルタはＳＡＷフィルタ、前記第２中間周波フィルタはＬＣフィルタで構成され、前記センター周波数シフト部は、前記第２中間周波信号の帯域の一部が前記ＬＣフィルタの減衰特性の急峻な方にかかるように前記第２中間周波フィルタのセンター周波数をシフトさせ、前記周波数制御部は、前記第１中間周波信号の反対側の帯域の一部が前記ＳＡＷフィルタの減衰領域にかかるように前記第１局部発振信号の局発周波数を制御することを特徴とする。
【００１５】
これにより、第２中間周波フィルタとしてＳＡＷフィルタを用いることなく、不要な帯域を選択性よく遮断することが可能となるとともに、第２中間周波フィルタのセンター周波数を容易にシフトさせることができる。このため、第２中間周波段における中間周波数をずらすことなく、受信帯域に帯域制限をかけることができ、デジタル放送受信機の構成の簡素化および小型化を図りつつ、デジタル放送受信機のコストダウンを実現することができる。
【００１６】
また、本発明の一態様に係る受信装置によれば、前記第１中間周波フィルタおよび前記第２中間周波フィルタは、地上デジタル放送の３セグメント分の帯域を持つように設定され、前記地上デジタル放送の１セグメント分の信号を受信する場合、前記周波数制御部は、前記第１中間周波信号の一方の側の１セグメント分の帯域が前記第１中間周波フィルタの減衰領域にかかるように前記第１局部発振信号の局発周波数を制御するとともに、前記センター周波数シフト部は、前記第２中間周波信号の他方の側の１セグメント分の帯域が前記第２中間周波フィルタの減衰領域にかかるように前記第２中間周波フィルタのセンター周波数をシフトさせることを特徴とする。
【００１７】
これにより、中間周波数が中間周波フィルタの中心にくるように局発周波数を設定することで、３セグメント分の帯域の信号を受信することが可能となる。また、１セグメント分の帯域の信号を受信する時には、第１局部発振信号を中間周波数に対してシフトさせるとともに、第２中間周波フィルタのセンター周波数をシフトさせることで、第２中間周波段における中間周波数をずらすことなく、３セグメント分の帯域の上下両側の１セグメント分の帯域を制限することが可能となるとともに、それら上下両側の１セグメント分のノイズフロアの上昇を抑制することができる。このため、中間周波フィルタの帯域を変化させることなく、地上デジタル放送の３セグメント分の信号と１セグメント分の信号を受信することが可能となるとともに、復調部に負担をかけることなく、Ｓ／Ｎ比の劣化を抑制することが可能となり、デジタル放送受信機の構成の簡素化および小型化を図りつつ、デジタル放送受信機のコストダウンを実現することができる。
【００１８】
また、本発明の一態様に係る受信装置によれば、前記第１中間周波フィルタおよび前記第２中間周波フィルタは、地上デジタル放送の１３セグメント分の帯域を持つように設定され、前記地上デジタル放送の３セグメント分の信号を受信する場合、前記周波数制御部は、前記第１中間周波信号の一方の側の５セグメント分の帯域が前記第１中間周波フィルタの減衰領域にかかるように前記第１局部発振信号の局発周波数を制御するとともに、前記センター周波数シフト部は、前記第２中間周波信号の他方の側の５セグメント分の帯域が前記第２中間周波フィルタの減衰領域にかかるように前記第２中間周波フィルタのセンター周波数をシフトさせ、前記地上デジタル放送の１セグメント分の信号を受信する場合、前記周波数制御部は、前記第１中間周波信号の一方の側の６セグメント分の帯域が前記第１中間周波フィルタの減衰領域にかかるように前記第１局部発振信号の局発周波数を制御するとともに、前記センター周波数シフト部は、前記第２中間周波信号の他方の側の６セグメント分の帯域が前記第２中間周波フィルタの減衰領域にかかるように前記第２中間周波フィルタのセンター周波数をシフトさせることを特徴とする。
【００１９】
これにより、中間周波数が中間周波フィルタの中心にくるように局発周波数を設定することで、１３セグメント分の帯域の信号を受信することが可能となる。また、３セグメント分の帯域の信号を受信する時には、第１局部発振信号を中間周波数に対してシフトさせるとともに、第２中間周波フィルタのセンター周波数をシフトさせることで、第２中間周波段における中間周波数をずらすことなく、１３セグメント分の帯域の上下両側の５セグメント分の帯域を制限することが可能となるとともに、それら上下両側の５セグメント分のノイズフロアの上昇を抑制することができる。さらに、１セグメント分の帯域の信号を受信する時には、第１局部発振信号を中間周波数に対してシフトさせるとともに、第２中間周波フィルタのセンター周波数をシフトさせることで、第２中間周波段における中間周波数をずらすことなく、１３セグメント分の帯域の上下両側の６セグメント分の帯域を制限することが可能となるとともに、それら上下両側の６セグメント分のノイズフロアの上昇を抑制することができる。このため、中間周波フィルタの帯域を変化させることなく、地上デジタル放送の１３セグメント分の信号と３セグメント分の信号と１セグメント分の信号とを受信することが可能となるとともに、復調部に負担をかけることなく、Ｓ／Ｎ比の劣化を抑制することが可能となり、デジタル放送受信機の構成の簡素化および小型化を図りつつ、デジタル放送受信機のコストダウンを実現することができる。
【発明を実施するための最良の形態】
【００２０】
以下、本発明の実施形態に係る受信装置について図面を参照しながら説明する。
図１は、本発明の第１実施形態に係る受信装置の概略構成を示すブロック図である。
図１において、受信装置には、電波を受信するアンテナ１、アンテナ１から出力された高周波信号を増幅する高周波増幅器２、第１局部発振信号を生成する第１局部発振器８、第１局部発振器８にて生成された第１局部発振信号を受信信号に混合することにより、受信信号を第１中間周波信号に変換する第１混合器３、第１混合器３から出力された第１中間周波信号のフィルタリングを行う第１中間周波フィルタ４、第２局部発振信号を生成する第２局部発振器９、第２局部発振器９にて生成された第２局部発振信号を第１中間周波信号に混合することにより、第１中間周波信号を第２中間周波信号に変換する第２混合器５、第２混合器５から出力された第２中間周波信号のフィルタリングを行う第２中間周波フィルタ６、第２中間周波フィルタ６にてフィルタリングされた第２中間周波信号の復調処理を行う復調部７が設けられている。なお、第１中間周波フィルタ４としては、例えば、ＳＡＷフィルタ、第２中間周波フィルタ６としては、例えば、ＬＣフィルタを用いることができる。
【００２１】
さらに、受信装置には、第１局部発振信号および第２局部発振信号の局発周波数をそれぞれ制御する周波数制御部１０、アンテナ１にて受信される信号の帯域幅を判定する帯域幅判定部１１および第２中間周波フィルタ６のセンター周波数Ｆ０をシフトさせるセンター周波数シフト部１２が設けられている。
また、ユーザーが、１セグメント放送、３セグメント放送、１３セグメント放送のいずれかを選択するための、受信セグメント指定部１３が設けられている。
【００２２】
すなわち、周波数制御部１０は、第１中間周波信号の一方の側の帯域の一部が第１中間周波フィルタ４の減衰領域にかかるように第１局部発振信号の局発周波数を制御するとともに、第２中間周波信号の他方の側の帯域の一部が第２中間周波フィルタ６の減衰領域にかかるように第２局部発振信号の局発周波数を制御することができる。また、帯域幅判定部１１は、復調部７にて復調された信号に基づいて、アンテナ１１にて受信される受信信号が、例えば、地上デジタル放送における１セグメント放送、３セグメント放送または１３セグメント放送のいずれかを判定することができる。あるいは、受信セグメント指定部１３おいて、ユーザーにより、１セグメント放送、３セグメント放送、１３セグメント放送のいずれかが選択される。センター周波数シフト部１２は、第２中間周波信号の一方の側の帯域の一部が第２中間周波フィルタ６の減衰領域にかかるように第２中間周波フィルタ６のセンター周波数をシフトさせることができる。
【００２３】
そして、アンテナ１にて受信された受信信号は高周波増幅器２にて増幅された後、第１混合器３に送られるとともに、第１混合器３には、第１局部発振器８にて生成された第１局部発振信号が出力される。そして、受信信号が第１混合器３に送られると、第１混合器３にて第１局部発振信号と混合され、受信信号が第１中間周波信号に変換される。ここで、帯域幅判定部１１は、アンテナ１にて受信される信号の帯域幅を判定し、その判定結果を周波数制御部１０およびセンター周波数シフト部１２に送る。あるいは、受信セグメント指定部１３おいて、ユーザーにより、１セグメント放送、３セグメント放送、１３セグメント放送のいずれかが選択され、その結果が、周波数制御部１０およびセンター周波数シフト部１２に送られる。そして、周波数制御部１０は、例えば、第１中間周波信号の下側帯域が第１中間周波フィルタ４にて通過されるとともに、第１中間周波信号の上側帯域の一部が第１中間周波フィルタ４にて減衰されるように第１局部発振信号の局発周波数を制御する。
【００２４】
そして、第１混合器３にて生成された第１中間周波信号は、第１中間周波フィルタ４に送られる。そして、第１中間周波信号のフィルタリングが第１中間周波フィルタ４にて行われた後、第２混合器５に送られる。また、第２混合器５には、第２局部発振器９にて生成された第２局部発振信号が出力される。ここで、第１中間周波信号の上側帯域の一部が第１中間周波フィルタ４にて減衰されるように第１局部発振信号の局発周波数が設定されているので、第１中間周波信号が第１中間周波フィルタ４を通過すると、第１中間周波信号の下側帯域のみが第２混合器５に送られる。
【００２５】
そして、上側帯域の一部が除去された第１中間周波信号が第２混合器５に送られると、第２混合器５にて第２局部発振信号と混合され、第１中間周波信号が第２中間周波信号に変換される。ここで、第２中間周波信号のセンター周波数がずれても、復調部７の動作に影響がない場合、周波数制御部１０は、第２中間周波信号の上側帯域が第２中間周波フィルタ６にて通過されるとともに、第２中間周波信号の下側帯域の一部が第２中間周波フィルタ６にて減衰されるように第２局部発振信号の局発周波数を制御する。
【００２６】
そして、第２混合器５にて生成された第２中間周波信号は第２中間周波フィルタ６に送られる。そして、第２中間周波信号のフィルタリングが第２中間周波フィルタ６にて行われた後、復調部７にて復調処理が行われる。ここで、第２中間周波信号の下側帯域の一部が第２中間周波フィルタ６にて減衰されるように第２局部発振信号の局発周波数が設定されているので、第２中間周波信号が第２中間周波フィルタ６を通過すると、第２中間周波信号の上側帯域のみが復調部７に送られる。
【００２７】
これにより、第１局部発振信号および第２局部発振信号の局発周波数を制御することにより、第１中間周波フィルタ４にて第１中間周波信号の下側帯域を切り落とした上で、第２中間周波フィルタ６にて第２中間周波信号の上側帯域を切り落とすことが可能となる。このため、第１中間周波フィルタ４および第２中間周波フィルタ６の帯域を変化させることなく、受信信号から特定の帯域を切り出すことが可能となるとともに、ノイズフロアの上昇を抑制することができる。このため、Ｓ／Ｎ比の劣化を抑制しつつ、第１中間周波フィルタ４および第２中間周波フィルタ６を通過した後の受信帯域を狭帯域化することが可能となり、デジタル放送受信機の構成の簡素化および小型化を図りつつ、デジタル放送受信機のコストダウンを実現することができる。
【００２８】
なお、第２中間周波信号のセンター周波数がずれると、復調部７の動作に影響がある場合、周波数制御部１０は、第２中間周波信号のセンター周波数をずらさないようにすることができる。そして、センター周波数シフト部１２は、第２中間周波信号の上側帯域が第２中間周波フィルタ６にて通過されるとともに、第２中間周波信号の下側帯域の一部が第２中間周波フィルタ６にて減衰されるように第２中間周波フィルタ６のセンター周波数をシフトさせることができる。
【００２９】
これにより、第２中間周波段における中間周波数をずらすことなく、第１中間周波フィルタ４にて第１中間周波信号の下側帯域を切り落とした上で、第２中間周波フィルタ６にて第２中間周波信号の上側帯域を切り落とすことが可能となる。このため、第１中間周波フィルタ４および第２中間周波フィルタ６の帯域を変化させることなく、第１中間周波フィルタ４および第２中間周波フィルタ６を通過した後の受信帯域を狭帯域化することが可能となるとともに、復調部７に負担をかけることなく、Ｓ／Ｎ比の劣化を抑制することが可能となり、デジタル放送受信機の構成の簡素化および小型化を図りつつ、デジタル放送受信機のコストダウンを実現することができる。
【００３０】
なお、上述した実施形態では、第１中間周波信号の上側帯域の一部を第１中間周波フィルタ４にて切り落とすとともに、第２中間周波信号の下側帯域の一部を第２中間周波フィルタ６にて切り落とす方法について説明したが、第１中間周波信号の下側帯域の一部を第１中間周波フィルタ４にて切り落とすとともに、第２中間周波信号の上側帯域の一部を第２中間周波フィルタ６にて切り落とすようにしてもよい。
【００３１】
以下、第１中間周波フィルタ４および第２中間周波フィルタ６の帯域を変化させることなく受信帯域を狭帯域化する方法について、地上デジタル放送の１セグメント受信、３セグメント受信および１３セグメント受信を例にとって具体的に説明する。
図２は、本発明の一実施形態に係るセグメント受信方法を示す図である。なお、図２の実施形態は、１セグメント受信と３セグメント受信との間の切り替え方法を説明するものである。
【００３２】
図２（ａ）において、第１中間周波フィルタ４の周波数特性Ｆ１のセンター周波数は５７ＭＨｚに設定されるとともに、第１中間周波フィルタ４の帯域は５６．３４ＭＨｚ〜５７．６６ＭＨｚに設定され、センター周波数が５７ＭＨｚの３セグメント分の信号Ｓ１が通過できるものとする。
また、第２中間周波フィルタ６の周波数特性Ｆ２のセンター周波数は４ＭＨｚに設定されるとともに、第２中間周波フィルタ６の帯域は３．３４ＭＨｚ〜４．６６ＭＨｚに設定され、センター周波数が４ＭＨｚの３セグメント分の信号Ｓ２が通過できるものとする。
【００３３】
そして、３セグメント分の信号を受信する場合、周波数制御部１０は、第１局部発振信号の局発周波数を、第１中間周波数が５７ＭＨｚになるように設定するとともに、第２局部発振信号の局発周波数を、第２中間周波数が４ＭＨｚになるように設定する。これにより、第１中間周波フィルタ４にて３セグメント分の信号Ｓ１を透過させるとともに、第２中間周波フィルタ６にて３セグメント分の信号Ｓ２を透過させることができ、３セグメント分の信号を受信することができる。
【００３４】
一方、１セグメント分の信号を受信する場合、周波数制御部１０は、図２（ｂ）に示すように、第１局部発振信号の局発周波数を、第１中間周波数が５６．５６ＭＨｚになるように設定するとともに、第２局部発振信号の局発周波数を、第２中間周波数が４．４４ＭＨｚになるように設定することができる。これにより、３セグメント分の信号Ｓ１のうちの下側の１セグメント分の信号を第１中間周波フィルタ４にて切り落とすことが可能となるとともに、３セグメント分の信号Ｓ２のうちの上側の１セグメント分の信号を第２中間周波フィルタ６にて切り落とすことが可能となる。この結果、第１中間周波フィルタ４および第２中間周波フィルタ６の帯域幅を変化させることなく、センター周波数が４．４ＭＨｚで帯域が４．２２ＭＨｚ〜４．６６ＭＨｚに制限された周波数特性Ｆ３を得ることができ、上下１セグメント分の帯域のノイズフロアの上昇を抑制しつつ、１セグメント分の信号Ｓ３を受信することができる。
【００３５】
また、１セグメント分の信号を受信する場合、図２（ｃ）に示すように、周波数制御部１０は、第１局部発振信号の局発周波数を、第１中間周波数が５６．５６ＭＨｚになるように設定した上で、第２局部発振信号の局発周波数を、第２中間周波数が４ＭＨｚになるように設定するとともに、センター周波数シフト部１２は、第２中間周波フィルタ６のセンター周波数をシフトさせ、センター周波数が３．５６ＭＨｚの周波数特性Ｆ２´を第２中間周波フィルタ６に持たせるようにしてもよい。これにより、３セグメント分の信号Ｓ１のうちの下側の１セグメント分の信号を第１中間周波フィルタ４にて切り落とすことが可能となるとともに、第２中間周波信号のセンター周波数をずらすことなく、３セグメント分の信号Ｓ２のうちの上側の１セグメント分の信号を第２中間周波フィルタ６にて切り落とすことが可能となる。この結果、第１中間周波フィルタ４および第２中間周波フィルタ６の帯域幅を変化させることなく、センター周波数が４ＭＨｚで帯域が４．２２ＭＨｚ〜４．６６ＭＨｚに制限された周波数特性Ｆ３´を得ることができ、上下１セグメント分の帯域のノイズフロアの上昇を抑制しつつ、１セグメント分の信号Ｓ３を受信することが可能となるとともに、復調部７の負担を軽減することができる。
【００３６】
図３は、本発明の一実施形態に係るセグメント受信方法のその他の例を示す図である。なお、図３の実施形態は、１３セグメント受信と３セグメント受信との間の切り替え方法を説明するものである。
図３（ａ）において、第１中間周波フィルタ４の周波数特性Ｆ１１のセンター周波数は５７ＭＨｚに設定されるとともに、第１中間周波フィルタ４の帯域は５４．１ＭＨｚ〜５９．９ＭＨｚに設定され、センター周波数が５７ＭＨｚの１３セグメント分の信号Ｓ１１が通過できるものとする。
【００３７】
また、第２中間周波フィルタ６の周波数特性Ｆ１２のセンター周波数は４ＭＨｚに設定されるとともに、第２中間周波フィルタ６の帯域は１．１ＭＨｚ〜６．９ＭＨｚに設定され、センター周波数が４ＭＨｚの１３セグメント分の信号Ｓ１２が通過できるものとする。
そして、１３セグメント分の信号を受信する場合、周波数制御部１０は、第１局部発振信号の局発周波数を、第１中間周波数が５７ＭＨｚになるように設定するとともに、第２局部発振信号の局発周波数を、第２中間周波数が４ＭＨｚになるように設定する。これにより、第１中間周波フィルタ４にて１３セグメント分の信号Ｓ１１を透過させるとともに、第２中間周波フィルタ６にて１３セグメント分の信号Ｓ１２を透過させることができ、１３セグメント分の信号を受信することができる。
【００３８】
一方、３セグメント分の信号を受信する場合、周波数制御部１０は、図３（ｂ）に示すように、第１局部発振信号の局発周波数を、第１中間周波数が５４．７６ＭＨｚになるように設定するとともに、第２局部発振信号の局発周波数を、第２中間周波数が６．２４ＭＨｚになるように設定することができる。これにより、１３セグメント分の信号Ｓ１１のうちの下側の５セグメント分の信号を第１中間周波フィルタ４にて切り落とすことが可能となるとともに、１３セグメント分の信号Ｓ１２のうちの上側の５セグメント分の信号を第２中間周波フィルタ６にて切り落とすことが可能となる。この結果、第１中間周波フィルタ４および第２中間周波フィルタ６の帯域幅を変化させることなく、センター周波数が６．２４ＭＨｚで帯域が５．５８ＭＨｚ〜６．９ＭＨｚに制限された周波数特性Ｆ１３を得ることができ、上下５セグメント分の帯域のノイズフロアの上昇を抑制しつつ、３セグメント分の信号Ｓ１３を受信することができる。
【００３９】
また、３セグメント分の信号を受信する場合、図３（ｃ）に示すように、周波数制御部１０は、第１局部発振信号の局発周波数を５４．７６ＭＨｚに設定した上で、第２局部発振信号の局発周波数を４ＭＨｚに設定するとともに、センター周波数シフト部１２は、第２中間周波フィルタ６のセンター周波数をシフトさせ、センター周波数が１．７６ＭＨｚの周波数特性Ｆ１２´を第２中間周波フィルタ６に持たせるようにしてもよい。これにより、１３セグメント分の信号Ｓ１１のうちの下側の５セグメント分の信号を第１中間周波フィルタ４にて切り落とすことが可能となるとともに、第２中間周波信号のセンター周波数をずらすことなく、１３セグメント分の信号Ｓ１２のうちの上側の５セグメント分の信号を第２中間周波フィルタ６にて切り落とすことが可能となる。この結果、第１中間周波フィルタ４および第２中間周波フィルタ６の帯域幅を変化させることなく、センター周波数が４ＭＨｚで帯域が３．３４ＭＨｚ〜４．６６ＭＨｚに制限された周波数特性Ｆ１３´を得ることができ、上下５セグメント分の帯域のノイズフロアの上昇を抑制しつつ、３セグメント分の信号Ｓ１３を受信することが可能となるとともに、復調部７の負担を軽減することができる。
【００４０】
図４は、本発明の一実施形態に係るセグメント受信方法のその他の例を示す図である。なお、図４の実施形態は、１３セグメント受信と１セグメント受信との間の切り替え方法を説明するものである。
図４（ａ）において、第１中間周波フィルタ４の周波数特性Ｆ２１のセンター周波数は５７ＭＨｚに設定されるとともに、第１中間周波フィルタ４の帯域は５４．１ＭＨｚ〜５９．９ＭＨｚに設定され、センター周波数が５７ＭＨｚの１３セグメント分の信号Ｓ２１が通過できるものとする。
【００４１】
また、第２中間周波フィルタ６の周波数特性Ｆ２２のセンター周波数は４ＭＨｚに設定されるとともに、第２中間周波フィルタ６の帯域は１．１ＭＨｚ〜６．９ＭＨｚに設定され、センター周波数が４ＭＨｚの１３セグメント分の信号Ｓ２２が通過できるものとする
そして、１３セグメント分の信号を受信する場合、周波数制御部１０は、第１局部発振信号の局発周波数を、第１中間周波数が５７ＭＨｚになるように設定するとともに、第２局部発振信号の局発周波数を、第２中間周波数が４ＭＨｚになるように設定する。これにより、第１中間周波フィルタ４にて１３セグメント分の信号Ｓ２１を透過させるとともに、第２中間周波フィルタ６にて１３セグメント分の信号Ｓ２２を透過させることができ、１３セグメント分の信号を受信することができる。
【００４２】
一方、１セグメント分の信号を受信する場合、周波数制御部１０は、図４（ｂ）に示すように、第１局部発振信号の局発周波数を、第１中間周波数が５４．３２ＭＨｚになるように設定するとともに、第２局部発振信号の局発周波数を、第２中間周波数が６．６８ＭＨｚになるように設定することができる。これにより、１３セグメント分の信号Ｓ２１のうちの下側の６セグメント分の信号を第１中間周波フィルタ４にて切り落とすことが可能となるとともに、１３セグメント分の信号Ｓ２２のうちの上側の６セグメント分の信号を第２中間周波フィルタ６にて切り落とすことが可能となる。この結果、第１中間周波フィルタ４および第２中間周波フィルタ６の帯域幅を変化させることなく、センター周波数が６．６８ＭＨｚで帯域が６．４６ＭＨｚ〜６．９ＭＨｚに制限された周波数特性Ｆ２３を得ることができ、上下６セグメント分の帯域のノイズフロアの上昇を抑制しつつ、１セグメント分の信号Ｓ２３を受信することができる。
【００４３】
また、１セグメント分の信号を受信する場合、図４（ｃ）に示すように、周波数制御部１０は、第１局部発振信号の局発周波数を、第１中間周波数が５４．３２ＭＨｚになるように設定した上で、第２局部発振信号の局発周波数を、第２中間周波数が４ＭＨｚになるように設定するとともに、センター周波数シフト部１２は、第２中間周波フィルタ６のセンター周波数をシフトさせ、センター周波数が１．３２ＭＨｚの周波数特性Ｆ２２´を第２中間周波フィルタ６に持たせるようにしてもよい。これにより、１３セグメント分の信号Ｓ２１のうちの下側の６セグメント分の信号を第１中間周波フィルタ４にて切り落とすことが可能となるとともに、第２中間周波信号のセンター周波数をずらすことなく、１３セグメント分の信号Ｓ２２のうちの上側の６セグメント分の信号を第２中間周波フィルタ６にて切り落とすことが可能となる。この結果、第１中間周波フィルタ４および第２中間周波フィルタ６の帯域幅を変化させることなく、センター周波数が４ＭＨｚで帯域が３．７８ＭＨｚ〜４．２２ＭＨｚに制限された周波数特性Ｆ２３´を得ることができ、上下６セグメント分の帯域のノイズフロアの上昇を抑制しつつ、１セグメント分の信号Ｓ２３を受信することが可能となるとともに、復調部７の負担を軽減することができる。
【００４４】
なお、第１中間周波フィルタ４としてＳＡＷフィルタ、第２中間周波フィルタ６としてＬＣフィルタを用いる場合、第２中間周波信号の帯域の一部がＬＣフィルタの減衰特性の急峻な方にかかるようにするとともに、第１中間周波信号の反対側の帯域の一部がＳＡＷフィルタの減衰領域にかかるようにすることが好ましい。
図５は、本発明の一実施形態に係る中間周波フィルタの使用方法を示す図である。
【００４５】
図５（ａ）において、ＳＡＷフィルタの周波数特性Ｆ３１としては、上側の遮断域および下側の遮断域とも急峻な特性を得ることができる。また、ＬＣフィルタの周波数特性Ｆ３２は上側の遮断域が急峻で下側の遮断域が緩慢であるものとする。この場合、周波数制御部１０は、第１中間周波信号の上側帯域が第１中間周波フィルタ４にて通過されるとともに、第１中間周波信号の下側帯域の一部が第１中間周波フィルタ４にて減衰されるように第１局部発振信号の局発周波数を制御することができる。また、周波数制御部１０は、第２中間周波信号の下側帯域が第２中間周波フィルタ６にて通過されるとともに、第２中間周波信号の上側帯域の一部が第２中間周波フィルタ６にて減衰されるように第２局部発振信号の局発周波数を制御することができる。あるいは、センター周波数シフト部１２は、第２中間周波信号の下側帯域が第２中間周波フィルタ６にて通過されるとともに、第２中間周波信号の上側帯域の一部が第２中間周波フィルタ６にて減衰されるように第２中間周波フィルタ６のセンター周波数をシフトさせることができる。
【００４６】
一方、図５（ｂ）において、ＳＡＷフィルタの周波数特性Ｆ４１としては、上側の遮断域および下側の遮断域とも急峻な特性を得ることができる。また、ＬＣフィルタの周波数特性Ｆ４２は下側の遮断域が急峻で上側の遮断域が緩慢であるものとする。この場合、周波数制御部１０は、第１中間周波信号の下側帯域が第１中間周波フィルタ４にて通過されるとともに、第１中間周波信号の上側帯域の一部が第１中間周波フィルタ４にて減衰されるように第１局部発振信号の局発周波数を制御することができる。また、周波数制御部１０は、第２中間周波信号の上側帯域が第２中間周波フィルタ６にて通過されるとともに、第２中間周波信号の下側帯域の一部が第２中間周波フィルタ６にて減衰されるように第２局部発振信号の局発周波数を制御することができる。あるいは、センター周波数シフト部１２は、第２中間周波信号の上側帯域が第２中間周波フィルタ６にて通過されるとともに、第２中間周波信号の下側帯域の一部が第２中間周波フィルタ６にて減衰されるように第２中間周波フィルタ６のセンター周波数をシフトさせることができる。
【００４７】
これにより、第２中間周波フィルタ６の急峻な遮断域を用いて第２中間周波信号の帯域の一部を切り落とすことが可能となり、第２中間周波フィルタ６としてＳＡＷフィルタを用いることなく、不要な帯域を選択性よく遮断することが可能となる。また、第２中間周波フィルタ６は、ＬＣフィルタにて構成されているため、センター周波数を容易にシフトさせることができる。このため、第２中間周波段における中間周波数をずらすことなく、受信帯域に帯域制限をかけることができ、デジタル放送受信機の構成の簡素化および小型化を図りつつ、デジタル放送受信機のコストダウンを実現することができる。
【図面の簡単な説明】
【００４８】
【図１】本発明の一実施形態に係る受信装置の概略構成を示すブロック図。
【図２】本発明の一実施形態に係るセグメント受信方法を示す図。
【図３】本発明の一実施形態に係るセグメント受信方法のその他の例を示す図。
【図４】本発明の一実施形態に係るセグメント受信方法のその他の例を示す図。
【図５】本発明の一実施形態に係る中間周波フィルタの使用方法を示す図。
【符号の説明】
【００４９】
１  アンテナ、２  高周波増幅器、３  第１混合器、４  第１中間周波フィルタ、５  第２混合器、６  第２中間周波フィルタ、７  復調部、８  第１局部発振器、９  第２局部発振器、１０  周波数制御部、１１  帯域幅判定部、１２  センター周波数シフト部
【図１】
2006304136.tif 000003
【図２】
2006304136.tif 000004
【図３】
2006304136.tif 000005
【図４】
2006304136.tif 000006
【図５】
2006304136.tif 000007